(57)【要約】【課題】増量等のサービス販売を行う際の販売員の手間を軽減することができる計量装置を提供する。【解決手段】計量装置１０では、制御部３１は、増量確定ボタン２６７が押されたとき、増量分を加味した増量加味値を実測値とともに液晶表示画面２５ｂに表示させる。この計量装置１０による量り売りにおいて、例えば、販促活動として増量サービスを行う際、販売員は増量後の重量計算を電卓など用いることなく把握することができるので、増量サービス販売が簡単に行えるようになる。【選択図】図３Ｄ
2014149284.tif 000002
【特許請求の範囲】
【請求項１】
秤に載せられた物品の重量と予め設定されている前記物品の単価とに基づいて前記物品の価格を演算して表示する計量装置であって、
前記物品の重量を実測する計量部と、
少なくとも前記物品の価格を演算する演算機能を含む制御部と、
前記制御部に所定の指示を出す操作部と、
前記実測値、前記単価および前記価格を表示する表示部と、
を備え、
前記操作部は、前記物品の希望購入重量または前記実測値に応じた所定比率の増量を行うことを確定する増量確定手段を有し、
前記制御部は、前記増量確定手段が操作されたとき、前記増量分を加味した増量加味値を前記希望購入重量または前記実測値とともに前記表示部に表示させる、
計量装置。
【請求項２】
前記制御部は、
前記希望購入重量または前記増量確定手段が操作されたときの前記物品の実測値に前記単価を乗じた額を前記表示部に表示させる、
請求項１に記載の計量装置。
【請求項３】
前記制御部は、
前記増量確定手段が操作された後、前記計量部上の前記物品の実測値に前記単価を乗じた額を前記表示部に表示させる、
請求項１に記載の計量装置。
【請求項４】
前記増量確定手段は、増量確定ボタンを含み、
前記制御部は、
前記物品の希望購入重量または前記増量確定ボタンが操作されたときの前記物品の実測値に前記単価を乗じた額を買い手との取引価格として前記表示部に表示し、
前記増量確定ボタンが操作された後は、前記取引価格を前記表示部に表示した状態のまま、前記計量部上の前記物品の実測値に前記単価を乗じた額を前記表示部に表示させる、
請求項２に記載の計量装置。
【請求項５】
前記増量確定手段は、見做し増量確定ボタンを含み、
前記制御部は、
前記見做し増量確定ボタンが操作されたとき、そのときの前記物品の実測値に前記単価を乗じた額を前記表示部に表示し、
さらに、前記所定比率の増量が行われた結果が前記実測値となるような見做し増量前理論値を演算し、前記額を前記表示部に表示した状態のまま、前記見做し増量前理論値に前記単価を乗じた額を買い手との取引価格として前記表示部に表示させる、
請求項１に記載の計量装置。
【請求項６】
レシートまたはラベルに所定事項を印字する印字部をさらに備え、
前記レシートまたは前記ラベルには、少なくとも前記取引価格、増量表示が記載される、
請求項４又は請求項５に記載の計量装置。
【請求項７】
前記増量確定手段が操作されたときの前記物品の実測値に前記単価を乗じた額が、表示部に固定的に表示される、
請求項１から請求項６のいずれか１項に記載の計量装置。
【請求項８】
前記増量確定手段は、ボタンである、
請求項１から請求項７のいずれか１項に記載の計量装置。
【請求項９】
前記制御部は、増量された前記物品の実測値が前記増量加味値の所定許容範囲に到達していないときは、その旨の示唆を行う、
請求項１から請求項８のいずれか１項に記載の計量装置。
【請求項１０】
前記制御部は、増量された前記物品の実測値が前記増量加味値の所定許容範囲を超えたとき、その旨の示唆を行う、
請求項１から請求項９のいずれか１項に記載の計量装置。
【請求項１１】
前記示唆は、前記表示部における前記実測値の表示色変更、または前記実測値の表示域の色変更による表示である、
請求項９又は請求項１０に記載の計量装置。
【請求項１２】
前記示唆は、音声である、
請求項９又は請求項１０に記載の計量装置。
【発明の詳細な説明】
【技術分野】
【０００１】
本発明は、計量装置に関し、特に、量り売りに適した対面計量装置に関する。
【背景技術】
【０００２】
従来、対面での計量販売において、増量サービス販売を行う際、販売員は増量前の重量と販売金額を覚えておき、増量後の重量を計算した後に計量している。例えば、特許文献１（特開昭５５−２４６８１号公報）の第２頁左上欄第１行〜右上欄第１６行には、上記増量サービスとは性質は異なるものの、実際に演算された価格等をサービス等の目的で改定することがある旨が記載されている。
【発明の概要】
【発明が解決しようとする課題】
【０００３】
しかしながら、販売時の上記改定作業は手間がかかるため、接客時間が長引くことがある。
【０００４】
本発明の課題は、増量等のサービス販売を行う際の販売員の手間を軽減することができる計量装置を提供することにある。
【課題を解決するための手段】
【０００５】
本発明の第１観点に係る計量装置は、秤に載せられた物品の重量と予め設定されている物品の単価とに基づいて物品の価格を演算して表示する計量装置であって、計量部と、制御部と、操作部と、表示部とを備えている。計量部は、物品の重量を実測する。制御部は、少なくとも物品の価格を演算する演算機能を含んでいる。操作部は、制御部に所定の指示を出す。表示部は、実測値、単価および価格を表示する。また、操作部は、増量確定手段を有している。増量確定手段は、希望購入重量または実測値に応じた所定比率の増量を行うことを確定する。また、制御部は、増量確定手段が操作されたとき、増量分を加味した増量加味値を希望購入重量または実測値とともに表示部に表示させる。
【０００６】
この計量装置による量り売りにおいて、例えば、販促活動として増量サービスを行う際、販売員は増量後の重量計算を電卓など用いることなく把握することができるので、増量サービス販売が簡単に行えるようになる。
【０００７】
本発明の第２観点に係る計量装置は、第１観点に係る計量装置であって、制御部が、希望購入重量または増量確定手段が操作されたときの物品の実測値に単価を乗じた額を表示部に表示させる。
【０００８】
この計量装置では、客側は増量サービス前の価格と、増量サービス後の価格とを一見して比較することができる。つまり、店側は、客側に増量サービスのお得感を瞬時に伝えることができる。
【０００９】
本発明の第３観点に係る計量装置は、第１観点に係る計量装置であって、制御部が、増量確定手段が操作された後、計量部上の物品の実測値に単価を乗じた額を表示部に表示させる。
【００１０】
本発明の第４観点に係る計量装置は、第２観点に係る計量装置であって、増量確定手段が、増量確定ボタンを含んでいる。制御部は、物品の希望購入重量または増量確定ボタンが操作されたときの物品の実測値に単価を乗じた額を買い手との取引価格として表示部に表示する。また、制御部は、増量確定ボタンが操作された後は、取引価格を表示部に表示した状態のまま、計量部上の物品の実測値に単価を乗じた額を表示部に表示させる。
【００１１】
この計量装置では、客側は増量サービス前の価格と、増量サービス後の価格とを一見して比較することができる。つまり、店側は、客側に増量サービスのお得感を瞬時に伝えることができる。
【００１２】
本発明の第５観点に係る計量装置は、第１観点に係る計量装置であって、増量確定手段が、見做し増量確定ボタンを含んでいる。制御部は、見做し増量確定ボタンが操作されたとき、そのときの物品の実測値に単価を乗じた額を表示部に表示する。さらに、制御部は、所定比率の増量が行われた結果が上記実測値となるような見做し増量前理論値を演算し、上記額を表示部に表示した状態のまま、見做し増量前理論値に単価を乗じた額を買い手との取引価格として表示部に表示させる。
【００１３】
この計量装置では、客側は増量サービス前の価格と、増量サービス後の価格とを一見して比較することができる。つまり、店側は、客側に増量サービスのお得感を瞬時に伝えることができる。
【００１４】
本発明の第６観点に係る計量装置は、第４観点または第５観点に係る計量装置であって、レシートまたはラベルに所定事項を印字する印字部をさらに備えている。レシートまたはラベルには、少なくとも取引価格、増量表示が記載される。この計量装置では、購入後にも客側に増量サービスのお得感を伝えることができる。
【００１５】
本発明の第７観点に係る計量装置は、第１観点から第６観点のいずれか１つに係る計量装置であって、増量確定手段が操作されたときの物品の実測値に単価を乗じた額が、表示部に固定的に表示される。
【００１６】
この計量装置では、販売員が誤って増量確定手段を操作しないまま増量を開始しても、表示部には増量に比例した価格しか表示されないので、増量確定手段が操作されていないこと、或いは、取引価格が成立していないことを販売員に気付かせることができる。
【００１７】
本発明の第８観点に係る計量装置は、第１観点から第７観点に係る計量装置であって、増量確定手段がボタンである。
【００１８】
この計量装置では、ボタン操作後は物品を増量しいくだけでよいので、店側にとって使い勝手がよい。
【００１９】
本発明の第９観点に係る計量装置は、第１観点から第８観点のいずれか１つに係る計量装置であって、制御部が、増量された物品の実測値が増量加味値の所定許容範囲に到達していないときは、その旨の示唆を行う。
【００２０】
この計量装置では、少なくとも客側と約束した増量分に満たない量で増量を止めてしまうことが回避される。
【００２１】
本発明の第１０観点に係る計量装置は、第１観点から第９観点のいずれか１つに係る計量装置であって、制御部が、増量された物品の実測値が増量加味値の所定許容範囲を超えたとき、その旨の示唆を行う。
【００２２】
この計量装置では、少なくとも客側と約束した増量分に満たない量で増量を止めてしまうことは客側への印象が良くないので、増量加味値より多めになる傾向にあるが、増量加味値の所定許容範囲を超えたときにその旨の示唆があることによって超過量を抑制することができるので、結果的に店側の負担を軽減することができる。
【００２３】
本発明の第１１観点に係る計量装置は、第９観点又は第１０観点に係る計量装置であって、上記示唆が、表示部における実測値の表示色変更、または実測値の表示域の色変更による表示である。
【００２４】
この計量装置では、表示部における実測値の表示色変更、または実測値の表示域の色変更による表示が、販売員に注意喚起を促すので、示唆が効果的である。
【００２５】
本発明の第１２観点に係る計量装置は、第９観点または第１０観点に係る計量装置であって、上記示唆が音声である。この計量装置では、音声が販売員に注意喚起を促すので、示唆が効果的である。
【発明の効果】
【００２６】
本発明に係る計量装置では、量り売りにおいて、例えば、販促活動として増量サービスを行う際、販売員は増量後の重量計算を電卓など用いることなく把握することができるので、増量サービス販売が簡単に行えるようになる。
【図面の簡単な説明】
【００２７】
【図１Ａ】本発明の第１実施形態に係る計量装置の操作部側から視た斜視図。
【図１Ｂ】本発明の第１実施形態に係る計量装置のお客様側液晶表示部側から視た斜視図。
【図２】計量装置の制御ブロック図。
【図３Ａ】コーヒー豆の対面販売用の計量装置の計量していないときの液晶表示画面の正面図。
【図３Ｂ】コーヒー豆の対面販売用の計量装置の計量しているときの液晶表示画面の正面図。
【図３Ｃ】増量サービス確定直後の液晶表示画面の正面図。
【図３Ｄ】増量サービス時の液晶表示画面の正面図。
【図３Ｅ】図３Ｄにおける担当者表示ボタンが押された後の液晶表示画面の正面図。
【図３Ｆ】図３Ｅにおける［ＯＫ］ボタンが押された後の液晶表示画面の正面図。
【図４Ａ】必要事項が印字されたレシートの平面図。
【図４Ｂ】必要事項が印字されたラベルの平面図。
【図５Ａ】本発明の第２実施形態に係る計量装置の計量していないときの液晶表示画面の正面図。
【図５Ｂ】本発明の第２実施形態に係る計量装置の計量しているときの液晶表示画面の正面図。
【図５Ｃ】見做し増量サービス時の液晶表示画面の正面図。
【図５Ｄ】図５Ｃにおける担当者表示ボタンが押された後の液晶表示画面の正面図。
【図５Ｅ】図５Ｄにおける［ＯＫ］ボタンが押された後の液晶表示画面の正面図。
【図６】必要事項が印字されたレシートの平面図。
【図７Ａ】本発明の第２実施形態の変形例に係る計量装置の計量していないときの液晶表示画面の正面図。
【図７Ｂ】本発明の第２実施形態の変形例に係る計量装置の計量しているときの液晶表示画面の正面図。
【図７Ｃ】見做し増量サービス時の液晶表示画面の正面図。
【図８Ａ】本発明の第３実施形態に係る計量装置において客から注文を受ける前の液晶表示画面の正面図。
【図８Ｂ】本発明の第３実施形態に係る計量装置において客から注文を受けたときの液晶表示画面の正面図。
【図８Ｃ】本発明の第３実施形態に係る計量装置における計量時の液晶表示画面の正面図。
【図８Ｄ】図８Ｃにおける担当者表示ボタンが押された後の液晶表示画面の正面図。
【図８Ｅ】図８Ｄにおける［ＯＫ］ボタンが押された後の液晶表示画面の正面図。
【図９Ａ】本発明の第３実施形態に係る計量装置における増量サービス確定直後の液晶表示画面の正面図。
【図９Ｂ】本発明の第３実施形態に係る計量装置における増量サービス時の液晶表示画面の正面図。
【図９Ｃ】図９Ｂにおける担当者表示ボタンが押された後の液晶表示画面の正面図。
【図９Ｄ】図９Ｃにおける［ＯＫ］ボタンが押された後の液晶表示画面の正面図。
【図１０Ａ】希望購入重量に対して販売を行った後の必要事項が印字されたレシートの平面図。
【図１０Ｂ】希望購入重量に応じた増量販売を行った後の必要事項が印字されたレシートの平面図。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
＜第１実施形態＞
（１）計量装置１０の構成
図１Ａは、本発明の第１実施形態に係る計量装置１０の操作部側から視た斜視図である。図１Ｂは、本発明の第１実施形態に係る計量装置１０のお客様側液晶表示部側から視た斜視図である。図１Ａ及び図１Ｂにおいて、計量装置１０は、コーヒーショップ等においてショーケースの上に載置され、客と対面して量り売りする際に利用されている。もちろん、コーヒーショップに限定されるものではなく、スーパーマーケット等における惣菜等の量り売りにも利用されている。
【００３０】
計量装置１０は、本体ケーシング２１、計量部２３、操作部２５、お客様側液晶表示部２７、プリンタ部２９、及び制御部３１を備えている。
【００３１】
計量部２３は本体ケーシング２１の上面に配置され、操作部２５は本体ケーシング２１の前面に設けられている。お客様側液晶表示部２７は、本体ケーシング２１を挟んで操作部２５の反対側に配置されている。
【００３２】
また、プリンタ部２９は、操作部２５を正面から視て本体ケーシング２１の右側に配置されている。プリンタ部２９には、印刷済みのラベルまたはレシートが排出される排出口２９ａが設けられている。排出口２９ａの内部には、ラベル用紙あるいはレシート用紙が収納されており、これらラベル用紙あるいはレシート用紙は搬送路を搬送されて、サーマルヘッドにおいて印字が行われた後に、排出口２９ａから排出される。
【００３３】
図２は、計量装置１０の制御ブロック図である。図２において、制御部３１は、ＣＰＵ３３とメモリ３５とを搭載しており、本体ケーシング２１若しくは操作部２５の内部に配置される。本実施形態では、制御部３１は、操作部２５の内部に配置され、計量部２３、操作部２５、お客様側液晶表示部２７、及びプリンタ部２９と信号の送受信ができるように接続されている。
【００３４】
（２）操作部２５の詳細構成
操作部２５は、キー入力部２５ａと、タッチパネル付きの液晶表示画面２５ｂとを有している。操作部２５の正面視右側１／３程度をキー入力部２５ａが占有し、残りを液晶表示画面２５ｂが占有している。
【００３５】
図３Ａは、コーヒー豆の対面販売用の計量装置１０の計量していないときの液晶表示画面２５ｂの正面図である。また、図３Ｂは、コーヒー豆の対面販売用の計量装置１０の計量しているときの液晶表示画面２５ｂの正面図である。
【００３６】
（２−１）液晶表示画面２５ｂの表示項目
図３Ａにおいて、液晶表示画面２５ｂは、最上段に日付表示欄２５１が設けられている。日付表示欄２５１の下段には、商品名表示欄２５３が設けられている。商品名表示欄２５３の下段には、風袋質量表示欄２５５、重量表示欄２５７、単価表示欄２５９、及び値段表示欄２６１が横一列に並ぶように設けられている。
【００３７】
さらに下の段には、商品選択ボタン２６３、及び担当者表示ボタン２６５が横一列に並ぶように設けられている。商品選択ボタン２６３の下段には、増量確定ボタン２６７が設けられている。
【００３８】
（２−２）液晶表示画面２５ｂの表示項目の内容
日付表示欄２５１は、販売の年、月、日、及び時間を表示する。商品名表示欄２５３は、販売する商品（コーヒー豆）の品種を表示し、本実施形態ではキリマンジェロと表示されている。
【００３９】
風袋質量表示欄２５５は、商品を入れる容器の重量を表示するが、コーヒー豆の場合は計量部２３の秤量皿に直に載せられるので、ゼロを表示する。重量表示欄２５７は、秤量皿に載せられたコーヒー豆の重量の実測値を表示する。
【００４０】
単価表示欄２５９は、単位数量あたりの価格を表示し、本実施形態ではキリマンジェロ１００ｇ当たりの価格が表示されている。値段表示欄２６１は、重量表示欄２５７に表示されている数値に単価表示欄２５９に表示されている数値を乗じた値が表示される。
【００４１】
商品選択ボタン２６３は、商品であるコーヒー豆の品種を予め設定されているキリマンジェロおよびモカのいずれかを選択するようになっている。担当者表示ボタン２６５は、販売員が誰であるのかを表示する機能と、客との売買が成立した際の押されることによって所定必要事項を表示させる機能を有している。
【００４２】
増量確定ボタン２６７は、所定比率の増量サービスの期間中、実際に増量サービスを行なうか否かを確定するためのボタンである。増量確定ボタン２６７は、２段表示されており、上欄には増量する比率、下欄には増量分を加味した増量加味値が表示される。
【００４３】
なお、本実施形態では、販売員が増量する比率が表示されている増量確定ボタン２６７の上欄を押したとき、重量表示欄２５７に表示されている実測値に所定比率を乗じた増量分を加味した値が増量確定ボタン２６７の下欄に表示されるようになっている。
【００４４】
（２−３）液晶表示画面２５ｂの操作手順
（２−３−１）通常の販売
次に、通常の販売時の液晶表示画面２５ｂの操作手順について図３Ａ及び図３Ｂを用いて操作の手順を説明する。なお、説明の便宜上、販売員が客から１８０ｇ分のコーヒー豆（品種：キリマンジェロ）の注文を受けている状況を前提条件とする。
【００４５】
先ず、販売員は計量部２３の秤量皿に、コーヒー豆をその重量が客の求める１８０ｇとなるように載せる。重量表示欄２５７には販売員がコーヒー豆を載せるごとにそのときの重量の実測値が表示され、値段表示欄２６１にはその実測値の単価を乗じた額が表示される。
【００４６】
計量部２３の秤量皿に客の求めるコーヒー豆１８０ｇが載せられ、同時に重量表示欄２５７にその重量が表示された時点で、販売員が客に対し、客が求める重量になっていることを確認してもらい、取引を成立させても良いか否か確認をとる。
【００４７】
販売員は、客から取引成立の了解を得た後に、担当者表示ボタン２６５を押して、取引が成立したことを確定する。この際、液晶表示画面２５ｂに表示されているコーヒー豆の重量（１８０ｇ）、単価（７５８円）及び値段（１３６４円）がお客様側液晶表示部２７に表示されている。
【００４８】
なお、本実施形態では、風袋質量表示欄２５５、重量表示欄２５７、単価表示欄２５９、及び値段表示欄２６１に表示されている数値と同じ数値がお客様側液晶表示部２７に横一列に並ぶように表示される。
【００４９】
（２−３−２）増量サービス時の販売
次に、増量サービス時の液晶表示画面２５ｂの操作手順について、図３Ｃ及び図３Ｄを用いて操作の手順を説明する。図３Ｃは、増量サービス確定直後の液晶表示画面２５ｂの正面図である。また、図３Ｄは、増量サービス時の液晶表示画面２５ｂの正面図である。なお、説明の便宜上、販売員が客から１８０ｇ分のコーヒー豆（品種：キリマンジェロ）の注文を受けている状況を前提条件とする。
【００５０】
先ず、販売員は計量部２３の秤量皿に、コーヒー豆をその重量が客の求める１８０ｇとなるように載せる。重量表示欄２５７には販売員がコーヒー豆を載せるごとにそのときの重量の実測値が表示され、値段表示欄２６１にはその実測値の単価を乗じた額が表示される。
【００５１】
計量部２３の秤量皿に客の求めるコーヒー豆１８０ｇが載せられ、同時に重量表示欄２５７にその重量が表示された時点で、販売員が客に対し、客が求める重量になっていることを確認してもらい、さらに、増量サービスとして買い上げ重量の１０％に相当するコーヒー豆の増量をしても良いか否かの確認をとる。
【００５２】
客から増量を求める旨の回答があったとき、販売員は、増量確定ボタン２６７を押す。このとき、図３Ｃに示すように、増量確定ボタン２６７の下欄には、重量表示欄２５７に表示されている実測値に比率１０％を乗じた増量分１８ｇを加味した増量加味値１９８が増量確定ボタン２６７の下欄に表示される。この時点で、店側と客側との間には、値段１３６８円が取引価格として成立したことになる。増量確定ボタン２６７が押された後は販売員が物品を増量していくだけでよいので、店側にとって使い勝手がよい。
【００５３】
販売員は、重量が増量加味値である１９８ｇとなるように計量部２３の秤量皿にコーヒー豆を増量していく。このとき、重量表示欄２５７には増量後のコーヒー豆の実測値が表示され、値段表示欄２６１には取引成立価格である［１３６４円］の下方にそれよりも小さい文字で、増量後のコーヒー豆の実測値に単価を乗じた額が表示されている。
【００５４】
また、重量表示欄２５７は、表示域の色を数値が目標である増量加味値１９８になるまで赤色で表示している。これによって、少なくとも客側と約束した増量分に満たない量で増量を止めてしまうことが回避される。もちろん、色は赤色に限定されるものではなく、他の色でもよい。さらには、表示域の色を変える形態に限定されるものではなく、数字の表示色の色を変更してもよい。
【００５５】
通常、店側は、客側と約束した増量分に満たない量で増量を止めてしまうことは客側への印象が良くないので、増量加味値より多めにする傾向にあるが、必要以上に超過することは店側の負担を拡大させることになるので、許容できる超過量を予め決定しておくことが好ましい。
【００５６】
例えば、本実施形態では、１９８〜２０３の範囲を許容範囲としており、この許容範囲に入ったときは重量表示欄２５７の表示域の色を白色に戻し、この許容範囲を超えたときに再び重量表示欄２５７の表示域の色を赤色で表示している。これによって超過量を抑制することができるので、結果的に店側の負担を軽減することができる。
【００５７】
もちろん、色は赤色に限定されるものではなく、他の色でもよい。さらには、表示域の色を変える形態に限定されるものではなく、数字の表示色の色を変更してもよい。
【００５８】
そして、増量後の実測値が１９８ｇとなり、販売員が増量を止め客に増量されたことを確認してもらう。このとき、図３Ｄに示すように、重量表示欄２５７には増量後のコーヒー豆の実測値１９８が表示され、値段表示欄２６１には取引成立価格である［１３６４円］の下方にそれよりも小さい文字で、増量後のコーヒー豆の実測値に単価を乗じた額［１５００円］が表示されている。その後、担当者表示ボタン２６５を押す。
【００５９】
図３Ｅは、担当者表示ボタン２６５が押された後の液晶表示画面２５ｂの正面図である。図３Ｅにおいて、液晶表示画面２５ｂには先の図３Ｄで担当者表示ボタン２６５が押されるまで表示されていた増量確定ボタン２６７が消え、「加算しました」、「商品をハカリから取り除いてください」などのメッセージが表示され、その下方に増量後の確認ボタンとしての［ＯＫ］ボタンが表示される。
【００６０】
図３Ｆは、［ＯＫ］ボタンが押された後の液晶表示画面２５ｂの正面図である。図３Ｆにおいて、液晶表示画面２５ｂには先の図３Ｅで［ＯＫ］ボタンが押されるまで表示されていたメッセージ、及び［ＯＫ］ボタンが消え、その代わりに、計量していないときの液晶表示画面２５ｂの表示と同様の、商品選択ボタン２６３、及び担当者表示ボタン２６５が横一列に並ぶように表示される。そして、日付表示欄２５１の下段には、担当者（販売員）の姓、取引価格が表示される。
【００６１】
なお、取引完了時には、取引価格、取引重量１８０ｇ、及び販売重量１９８ｇ（または増量分１８ｇ）がそれぞれ別々にメモリ３５に記憶される。その結果、増量分の集計や管理が容易になる。
【００６２】
（２−４）レシート又はラベルへの印字
図４Ａは、必要事項が印字されたレシートの平面図である。また、図４Ｂは、必要事項が印字されたラベルの平面図である。図４Ａ及び図４Ｂにおいて、図３Ｅの［ＯＫ］ボタンが押されるタイミングに同期して、プリンタ部２９においてレシート又はラベルに必要事項が印字される。
【００６３】
ここで、必要事項として、単価、増量後の重量、増量後の重量と単価とから算出される価格、増量前の重量、取引価格（増量前の重量と単価とから算出される価格）、増量表示及び増量分の重量などのうち、少なくとも単価、取引価格、増量表示が印字される。
【００６４】
なお、増量表示とは、図４Ａにおける「増量＋１８ｇ」、図４Ｂにおける「１０％増量」がそれに当たり、増量サービスされて販売されている、又は販売されたことが分かる表示である。
【００６５】
また、増量後の重量と単価とから算出される価格が記載されるときは、増量サービスを実施していなかった場合の価格であるので、横線を重ねた２重線で消し値表示される。
【００６６】
（３）特徴
（３−１）
計量装置１０では、制御部３１は、増量確定ボタン２６７が押されたとき、増量分を加味した増量加味値を実測値とともに液晶表示画面２５ｂに表示させる。この計量装置１０による量り売りにおいて、例えば、販促活動として増量サービスを行う際、販売員は増量後の重量計算を電卓など用いることなく把握することができるので、増量サービス販売が簡単に行えるようになる。
【００６７】
（３−２）
また、制御部３１は、増量確定ボタン２６７が押されたとき、そのときの物品の実測値に単価を乗じた額を買い手との取引価格として液晶表示画面２５ｂに表示する。また、制御部３１は、増量確定ボタン２６７が操作され、物品が増量された後は、取引価格を表示部に表示した状態のまま、増量された物品の実測値に単価を乗じた額を液晶表示画面２５ｂに表示させる。この計量装置１０では、客側は増量サービス前の価格と、増量サービス後の価格とを一見して比較することができる。つまり、店側は、客側に増量サービスのお得感を瞬時に伝えることができる。
【００６８】
（３−３）
また、レシートまたはラベルには、少なくとも単価、取引価格、取引価格成立後の物品の増量後の実測値、及びその実測値に単価を乗じた額が記載されるので、購入後にも客側に増量サービスのお得感を伝えることができる。
【００６９】
（３−４）
また、増量確定ボタン２６７が押されたときの物品の実測値に単価を乗じた額が、表示部に固定的に表示されるので、販売員が誤って増量確定ボタン２６７を押さないまま増量を開始しても、表示部には増量に比例した価格しか表示されないので、増量確定ボタン２６７が押されていないこと、或いは、取引価格が成立していないことを販売員に気付かせることができる。
【００７０】
（３−５）
また、制御部３１は、増量された物品の実測値が増量加味値の所定許容範囲に到達していないときは、その旨を液晶表示画面２５ｂにおける実測値の表示色変更、または実測値の表示域の色変更による表示によって示唆するので、少なくとも客側と約束した増量分に満たない量で増量を止めてしまうことが回避される。なお、上記示唆が音声であってもよい。
【００７１】
（３−６）
また、制御部３１は、増量された物品の実測値が増量加味値の所定許容範囲を超えたとき、その旨を液晶表示画面２５ｂにおける実測値の表示色変更、または実測値の表示域の色変更による表示によって示唆するので、超過量を抑制することができるので、結果的に店側の負担を軽減することができる。なお、上記示唆が音声であってもよい。
【００７２】
（４）変形例
上記実施形態では、増量された物品の実測値が増量加味値の所定許容範囲に到達していないとき、及び超えたときは、その旨を液晶表示画面２５ｂにおける実測値の表示色変更、または実測値の表示域の色変更による表示によって示唆するようにしているが、それに限定されるものではない。
【００７３】
例えば、液晶表示画面の一領域に、棒グラフ状のインジケータを表示させ、棒の先端が上記所定許容範囲に対して、未到達か、若しくはその範囲内か、それとも範囲を超えているのかを目視できるようにしてもよい。
【００７４】
＜第２実施形態＞
第１実施形態では、販売員が客に対し、買い上げ重量（１８０ｇ）の１０％に相当するコーヒー豆の増量（１８ｇ）をしても良いか否かの確認をとり、客が増量に同意した状況を想定して説明を行った。
【００７５】
しかしながら、対面販売においては、上記状況だけではなく、増量後の重量が客の求める１８０ｇとなるように求められる状況が想定される。
【００７６】
そのような場合、販売員は客との取引価格を如何にすべきか算出する必要があり、計算に手間がかかり、接客時間を長引かせる可能性が高い。
【００７７】
そこで、本発明の第２実施形態に係る計量装置では、新たに見做し増量ボタンが設けられ、見做し増量ボタンを押すことによって、販売員に代わって客との取引価格を演算する機能が付加されている。以下、図面を参照しながら説明する。
【００７８】
なお、第２実施形態は、第１実施形態の液晶表示画面２５ｂに［見做し増量ボタン］を追加した構成であり、その他は第１実施形態と同じであるので、追加した［見做し増量ボタン］の構成と、その機能についてのみ説明する。
【００７９】
（１）操作部２５の詳細構成
図５Ａは、本発明の第２実施形態に係る計量装置の計量していないときの液晶表示画面２５ｂの正面図である。また、図５Ｂは、本発明の第２実施形態に係る計量装置の計量しているときの液晶表示画面２５ｂの正面図である。なお、この計量装置は、第１実施形態と同様、コーヒー豆の対面販売用の計量装置である。
【００８０】
（１−１）
図５Ａにおいて、増量確定ボタン２６７の右隣に見做し増量確定ボタン２７７が設けられている。見做し増量確定ボタン２７７は、増量確定ボタン２６７と同様に、所定比率の増量サービスの期間中、実際に増量サービスを行うか否かを確定するためのボタンである。
【００８１】
但し、増量サービス期間中であることを知った客が、予め増量分を見込んだ量を求めた場合に使用する。具体的には、販売員が、当初１８０ｇのコーヒー豆を購入しようとした客から増量後に１８０ｇとなるように求められたときが、その状況に相当する。以下、その状況を前提に説明する。
【００８２】
見做し増量確定ボタン２７７は、３段表示されており、上から順に、第１欄２７７ａには見做し増量する比率、第２欄２７７ｂには客が求める量であって、見做し増量分を加味した見做し増量加味値が表示される。第３欄２７７ｃには、増量が行われた結果が見做し増量加味値となるような見做し増量前理論値が表示される。
【００８３】
なお、本実施形態では、販売員が見做し増量確定ボタン２７７の第１欄２７７ａを押したとき、第２欄２７７ｂに重量表示欄２５７に表示されている実測値が表示され、第３欄２７７ｃには第２欄２７７ｂに表示された値に［１００／（１００＋所定比率）］を乗じた値が表示されるようになっている。
【００８４】
（１−２）液晶表示画面２５ｂの操作手順
（１−２−１）通常の販売
次に、通常の販売時の液晶表示画面２５ｂの操作手順について図５Ａ及び図５Ｂを用いて操作の手順を説明する。なお、説明の便宜上、販売員が客から１８０ｇ分のコーヒー豆（品種：キリマンジェロ）の注文を受けている状況を前提条件とする。
【００８５】
先ず、販売員は計量部２３の秤量皿に、コーヒー豆をその重量が客の求める１８０ｇとなるように載せる。重量表示欄２５７には販売員がコーヒー豆を載せるごとにそのときの重量の実測値が表示され、値段表示欄２６１にはその実測値の単価を乗じた額が表示される。
【００８６】
計量部２３の秤量皿に客の求めるコーヒー豆１８０ｇが載せられ、同時に重量表示欄２５７にその重量が表示された時点で、販売員が客に対し、客が求める重量になっていることを確認してもらい、取引を成立させても良いか否か確認をとる。
【００８７】
販売員は、客から取引成立の了解を得た後に、担当者表示ボタン２６５を押して、取引が成立したことを確定する。この際、液晶表示画面２５ｂに表示されているコーヒー豆の重量（１８０ｇ）、単価（７５８円）及び値段（１３６４円）がお客様側液晶表示部２７に表示されている。
【００８８】
なお、本実施形態では、風袋質量表示欄２５５、重量表示欄２５７、単価表示欄２５９、及び値段表示欄２６１に表示されている数値と同じ数値がお客様側液晶表示部２７に横一列に並ぶように表示される。
【００８９】
（１−２−２）増量サービス時の販売
次に、増量サービス時の液晶表示画面２５ｂの操作手順について、図５Ｃを用いて操作の手順を説明する。図５Ｃは、増量サービス時の液晶表示画面２５ｂの正面図である。なお、説明の便宜上、販売員が客から１８０ｇ分のコーヒー豆（品種：キリマンジェロ）の注文を受けている状況を前提条件とする。
【００９０】
先ず、販売員は計量部２３の秤量皿に、コーヒー豆をその重量が客の求める１８０ｇとなるように載せる。重量表示欄２５７には販売員がコーヒー豆を載せるごとにそのときの重量の実測値が表示され、値段表示欄２６１にはその実測値の単価を乗じた額が表示される。
【００９１】
計量部２３の秤量皿に客の求めるコーヒー豆１８０ｇが載せられ、同時に重量表示欄２５７にその重量が表示された時点で、販売員が客に対し、客が求める重量になっていることを確認してもらい、さらに、増量サービスとして買い上げ重量の１０％に相当するコーヒー豆の増量をしても良いか否かの確認をとる。
【００９２】
このとき、客から増量を求める旨の回答があったとき、販売員は、増量確定ボタン２６７を押す。この場合は、第１実施形態の操作手順（２−３−２）に沿って行う。
【００９３】
それとは別に、客から「増量後に１８０ｇとなるようにして欲しい」と求められたときは、見做し増量確定ボタン２７７の第１欄２７７ａを押す。この場合は、見做し増量確定ボタン２７７の下段の第２欄２７７ｂには、重量表示欄２５７に表示されている実測値１８０ｇが表示される。さらに、その下段の第３欄２７７ｃには、第２欄２７７ｂに表示された値「１８０ｇ」に［１００／（１００＋１０）］を乗じた値「１６３．６ｇ」が表示される。このとき、販売員は客に対して、増量して１８０ｇにする前の重量１６３．６ｇとその価格１２４０円を伝え、増量サービス前の状況を確認してもらう。
【００９４】
また、値段表示欄２６１には「１２４０円」が表示される。この時点で、店側と客側との間には、値段１２４０円が取引価格として成立したことになる。また、値段表示欄２６１には取引成立価格である［１２４０円］の下方にそれよりも小さい文字で、見做し増量後のコーヒー豆の実測値に単価を乗じた額１３６４円が表示されている。その後、担当者表示ボタン２６５を押す。
【００９５】
図５Ｄは、担当者表示ボタン２６５が押された後の液晶表示画面２５ｂの正面図である。図５Ｄにおいて、液晶表示画面２５ｂには先の図５Ｃで担当者表示ボタン２６５が押されるまで表示されていた増量確定ボタン２６７及び見做し増量確定ボタン２７７が消え、「加算しました」、「商品をハカリから取り除いてください」などのメッセージが表示され、その下方に見做し増量後の確認ボタンとしての［ＯＫ］ボタンが表示される。
【００９６】
図５Ｅは、［ＯＫ］ボタンが押された後の液晶表示画面２５ｂの正面図である。図５Ｅにおいて、液晶表示画面２５ｂには先の図５Ｄで［ＯＫ］ボタンが押されるまで表示されていたメッセージ、及び［ＯＫ］ボタンが消え、その代わりに、計量していないときの液晶表示画面２５ｂの表示と同様の、商品選択ボタン２６３、及び担当者表示ボタン２６５が横一列に並ぶように表示される。また、日付表示欄２５１の下段には、担当者（販売員）の姓、取引価格が表示される。
【００９７】
（１−３）レシートへの印字
図６は、必要事項が印字されたレシートの平面図である。図６において、図５Ｄの［ＯＫ］ボタンが押されるタイミングに同期して、プリンタ部２９においてレシートに必要事項が印字される。もちろん、レシートに限定されるものではなくラベルであってもよい。
【００９８】
ここで、必要事項として、単価、見做し増量後の重量、見做し増量後の重量と単価とから算出される価格、増量前の重量、取引価格（見做し増量前の重量と単価とから算出される価格）、増量表示及び増量分の重量などのうち、少なくとも単価、取引価格、増量表示が印字される。
【００９９】
但し、見做し増量後の重量と単価とから算出される価格が記載されるときは、増量サービスを実施していなかった場合の価格であるので、横線を重ねた２重線で消し値表示される。
【０１００】
（１−４）その他
なお、本実施形態では、増量して１８０ｇにする前の重量１６３．６ｇは理論的に算出した値であるので少数点以下の数値まで表示しているが、１６３．６ｇを切り下げて１６３ｇと表示し、１６３ｇを用いて取引価格を算出してもよい。
【０１０１】
（２）特徴
制御部３１は、見做し増量確定ボタン２７７が押されたとき、そのときの物品の実測値に単価を乗じた額を液晶表示画面２５ｂに表示する。さらに、制御部３１は、所定比率の増量が行われた結果が上記実測値となるような見做し増量前理論値を演算し、上記額を液晶表示画面２５ｂに表示した状態のまま、見做し増量前理論値に単価を乗じた額を買い手との取引価格として液晶表示画面２５ｂに表示させる。この計量装置では、客側は増量サービス前の価格と、増量サービス後の価格とを一見して比較することができる。つまり、店側は、客側に増量サービスのお得感を瞬時に伝えることができる。
【０１０２】
（３）変形例
第１実施形態および第２実施形態では、コーヒー豆１８０ｇの対面販売を例にして説明した。コーヒー豆の場合は、その重量を最初に客が求める量と全く一致させることができなくても、１〜２ｇ程度多めで近づけることは容易であるので、客との取引において重量超過分を価格に付加することは、通常では稀である。
【０１０３】
しかしながら、惣菜を対面販売する場合には、その重量を最初に客が求める重量と全く一致させることも、１〜２ｇ程度多めで近づけることも容易ではなく、通常は、販売員が計量部２３に載せた惣菜を増減して客の求める重量に近づけるが、１０ｇ以下の調整は困難であり、接客時間を長引かせるだけであるので、商習慣上、客の求める量に近い値になればその客の同意を得たうえで、その重量に単価を乗じた額を取引価格としている。
【０１０４】
このような惣菜の対面販売における増量サービスは、上記のような商習慣を踏まえたうえで行う必要がある。
【０１０５】
例えば、単価が１００ｇにつき１００円の惣菜を１００ｇだけ購入しようとする客に対して、ベテラン販売員でも９０ｇまでしか近づけることができない場合、９０円で取引を成立させた後に、９０ｇの１０％増量サービスとして９ｇ分を増量することは困難であるので、通常は、１０％増量分を見越した１１０ｇを計量部２３に載せる努力をする。
【０１０６】
上記状況を前提として、本変形例に係る計量装置１０について説明する。なお、第２実施形態は、液晶表示画面２５ｂの商品をコーヒー豆からポテトサラダに変更しただけであり、その他は上記実施形態と同じである。
【０１０７】
（３−１）操作部２５の詳細構成
図７Ａは、第２実施形態の変形例に係る計量装置の計量していないときの液晶表示画面２５ｂの正面図である。また、図７Ｂは、第２実施形態の変形例に係る計量装置の計量しているときの液晶表示画面２５ｂの正面図である。また、図７Ｃは、増量サービス時の液晶表示画面２５ｂの正面図である。なお、この計量装置１０は、ポテトサラダの対面販売用の計量装置である。
【０１０８】
（３−２）液晶表示画面２５ｂの操作手順
ここでは、ポテトサラダの対面販売において、増量サービス時の液晶表示画面２５ｂの操作手順について図７Ａ〜図７Ｃを用いて操作の手順を説明する。なお、説明の便宜上、販売員が客から１００ｇ分のポテトサラダの注文を受けている状況を前提条件とする。
【０１０９】
先ず、販売員は計量部２３の秤量皿に、ポテトサラダをその重量が客の求める１００ｇに対し１０％増量分を見越した１１０ｇとなるように載せる。重量表示欄２５７には販売員がポテトサラダを載せるごとにそのときの重量の実測値が表示され、値段表示欄２６１にはその実測値の単価を乗じた額が表示される。
【０１１０】
計量部２３の秤量皿には１０％増量分を見越した１１０ｇよりは少ないが客の求める重量のポテトサラダ９９ｇが載せられたので、販売員は客に対し、増量サービス分を価格を差し引くことを条件に、９９ｇで取引を成立させても良いか否か確認をとる。
【０１１１】
販売員は、客から取引成立の了解を得た後に、見做し増量確定ボタン２７７の第１欄２７７ａを押す。この場合は、見做し増量確定ボタン２７７の下段の第２欄２７７ｂには、重量表示欄２５７に表示されている実測値９９ｇが表示される。
【０１１２】
さらに、その下段の第３欄２７７ｃには、第２欄２７７ｂに表示された値「９９ｇ」に［１００／（１００＋１０）］を乗じた値「９０ｇ」が表示される。このとき、販売員は客に対して、増量して９９ｇにする前の重量９０ｇとその価格９０円を伝え、増量サービスの前の状況を確認してもらう。
【０１１３】
また、値段表示欄２６１には「９０円」が表示される。この時点で、店側と客側との間には、値段９０円が取引価格として成立したことになる。また、値段表示欄２６１には取引成立価格である［９０円］の下方にそれよりも小さい文字で、見做し増量後のポテトサラダの実測値に単価を乗じた額が表示されている。
【０１１４】
その後、担当者表示ボタン２６５を押す。この後の操作手順は第２実施形態の図５Ｄ及び図５Ｅで説明した内容とほぼ同じであるので、説明を省略する。
【０１１５】
＜第３実施形態＞
第１実施形態では、販売員が客の希望購入重量に相当する量のコーヒー豆を計量部２３で計測し、買い上げ重量と取引価格を成立させた後に、買い上げ重量の１０％に相当するコーヒー豆の増量をしても良いか否かの確認をとり、客が増量に同意した状況を想定して説明を行った。
【０１１６】
しかしながら、対面販売においては上記状況だけではなく、実際に物品の重量を計測する前に、客の希望購入重量から取引価格を決定する状況も想定される。
【０１１７】
そのような場合、販売員は客の希望購入重量と単価とから算出される取引価格を先に知らせる必要があり、例えば、電卓などで計算して知らせようとすると、手間がかかり、接客時間を長引かせる可能性が高い。
【０１１８】
そこで、本発明の第３実施形態に係る計量装置では、新たに［オーダー重量ボタン］が設けられ、オーダー重量ボタンを押すことによって、販売員に代わって客の希望購入重量に基づく取引価格を演算する機能が付加されている。以下、図面を参照しながら説明する。
【０１１９】
なお、第３実施形態は、第１実施形態の液晶表示画面２５ｂに［オーダー重量ボタン］を追加した構成であり、その他は第１実施形態と同じであるので、追加した［オーダー重量ボタン］の構成と、その機能についてのみ説明する。
【０１２０】
（１）操作部２５の詳細構成
図８Ａは、本発明の第３実施形態に係る計量装置１０において客から注文を受ける前の液晶表示画面２５ｂの正面図である。また、図８Ｂは、本発明の第３実施形態に係る計量装置１０において客から注文を受けたときの液晶表示画面２５ｂの正面図である。なお、この計量装置は、第１実施形態と同様、コーヒー豆の対面販売用の計量装置である。
【０１２１】
（１−１）オーダー重量ボタン３７７
図８Ａにおいて、増量確定ボタン２６７の右隣にオーダー重量ボタン３７７が設けられている。オーダー重量ボタン３７７は、計量開始前に客が希望した購入重量から取引価格を算出して値段表示欄２６１に表示させるためのボタンである。
【０１２２】
オーダー重量ボタン３７７は、２段表示されており、上から順に、第１欄３７７ａにはオーダー重量ボタン３７７であることを示すボタン名称、第２欄３７７ｂには客の希望購入重量が表示される。
【０１２３】
（１−２）液晶表示画面２５ｂの操作手順
（１−２−１）通常の販売
次に、通常の販売時の液晶表示画面２５ｂの操作手順について図８Ａ及び図８Ｂを用いて説明する。なお、説明の便宜上、販売員が客から１００ｇ分のコーヒー豆（品種：キリマンジェロ）の注文を受けている状況を前提条件とする。
【０１２４】
先ず、図８Ａ及び図８Ｂにおいて、販売員は、客の希望購入重量１００ｇをキー入力部２５ａから入力し、オーダー重量ボタン３７７の第１欄３７７ａを押す（触れる程度でよい）。このとき、第２欄３７７ｂには、客の希望購入重量１００（ｇ）が表示され、それと同時に、希望購入重量１００ｇに単価を乗じた値７５８（円）が値段表示欄２６１に表示される（図８Ｂ）。
【０１２５】
図８Ｃは、本発明の第３実施形態に係る計量装置１０における計量時の液晶表示画面２５ｂの正面図である。図８Ｃにおいて、販売員は、計量部２３の秤量皿に客の求めるコーヒー豆を希望購入重量の１００ｇを目標に載せていく。重量表示欄２５７には、計量部２３で計測されるコーヒー豆の実測値が表示される。値段表示欄２６１の下部には、その実測値に単価を乗じた額が表示される。
【０１２６】
販売員は、客の希望購入重量どおり正確に１００ｇのコーヒー豆を計量部２３に載せることは容易ではなく、希望購入重量の手前（例えば９９ｇ）で止めてしまうことは客との取引上好ましくないので、販売員は、習慣的に希望購入重量よりも少し多めに（例えば、１〜３ｇ程度多めに）載せる。
【０１２７】
計量時の重量表示欄２５７は、計量部２３で実測されるコーヒー豆の重量が希望購入重量に達していないときは、背景を赤色で表示する。そして、計量部２３で実測されるコーヒー豆の重量が希望購入重量以上になったときは、背景を白色に切り換える。販売員は、重量表示欄２５７の背景色に注意しながらコーヒー豆を計量部２３上に載せるので、不足はもちろん、過度な供給も抑制される。
【０１２８】
図８Ｃに示すように、販売員は、重量表示欄２５７が１０２ｇを示した時点で、コーヒー豆を載せることを止め、客に対し、客が求める重量になっていることを確認してもらい、取引を成立させても良いか否か確認をとる。このとき、液晶表示画面２５ｂに表示されているコーヒー豆の重量（１０２ｇ）、単価（７５８円）及び値段（７５８円）がお客様側液晶表示部２７に表示されている。なお、値段表示欄２６１には取引成立価格である［７５８円］の下方にそれよりも小さい文字で、実際のコーヒー豆の実測値１０２ｇに単価を乗じた額［７７３円］が表示されている。そして、販売員は、客から取引成立の了解を得た後に、担当者表示ボタン２６５を押して、取引が成立したことを確定する。
【０１２９】
図８Ｄは、本発明の第３実施形態に係る計量装置１０において担当者表示ボタン２６５が押された後の液晶表示画面２５ｂの正面図である。図８Ｄにおいて、液晶表示画面２５ｂには先の図８Ｃで担当者表示ボタン２６５が押されるまで表示されていた増量確定ボタン２６７及びオーダー重量ボタン３７７が消え、「加算しました」、「商品をハカリから取り除いてください」などのメッセージが表示され、その下方に確認ボタンとしての［ＯＫ］ボタンが表示される。
【０１３０】
また、先の図８Ｃで担当者表示ボタン２６５が押されるまで表示されていた重量表示欄２５７の「重さ」の文言は「定重量」に切り換わり、さらに、図８Ｃにおいて重量表示欄２５７に表示されていたコーヒー豆の実測値１０２ｇは、数値が丸められて１００ｇの表示に切り換わる。また、単価表示欄２５９の「単価１００ｇにつき」の文言は「数量」に切り換わり、その下方は空白となる。
【０１３１】
図８Ｅは、図８Ｄにおいて［ＯＫ］ボタンが押された後の液晶表示画面２５ｂの正面図である。図８Ｅにおいて、液晶表示画面２５ｂには先の図８Ｄで［ＯＫ］ボタンが押されるまで表示されていたメッセージ、及び［ＯＫ］ボタンが消え、その代わりに、計量していないときの液晶表示画面２５ｂの表示と同様の、商品選択ボタン２６３、及び担当者表示ボタン２６５が横一列に並ぶように表示される。また、日付表示欄２５１の下段には、担当者（販売員）の姓、取引価格が表示される。
【０１３２】
（１−２−２）増量サービス時の販売
次に、増量サービス時の液晶表示画面２５ｂの操作手順について、図８Ａ、図８Ｂ、図９Ａ及び図９Ｂを用いて操作の手順を説明する。なお、図９Ａは、本発明の第３実施形態に係る計量装置１０における増量サービス確定直後の液晶表示画面２５ｂの正面図である。また、図９Ｂは、本発明の第３実施形態に係る計量装置１０における増量サービス時の液晶表示画面２５ｂの正面図である。
【０１３３】
なお、説明の便宜上、販売員が客から１００ｇ分のコーヒー豆（品種：キリマンジェロ）の注文を受けている状況を前提条件とする。
【０１３４】
先ず、図８Ａ及び図８Ｂにおいて、販売員は、客の希望購入重量１００ｇをキー入力部２５ａから入力し、オーダー重量ボタン３７７の第１欄３７７ａを押す（触れる程度でよい）。このとき、第２欄３７７ｂには、客の希望購入重量１００（ｇ）が表示され、それと同時に、希望購入重量１００ｇに単価を乗じた値７５８（円）が値段表示欄２６１に表示される。
【０１３５】
この時点で、販売員が客に対し、客の希望購入重量に対する値段を確認してもらい、さらに、増量サービスとして買い上げ重量の１０％に相当するコーヒー豆の増量をしても良いか否かの確認をとる。
【０１３６】
客から増量を求める旨の回答があったとき、販売員は、増量確定ボタン２６７を押す。このとき、図９Ａに示すように、増量確定ボタン２６７の下欄には、オーダー重量ボタン３７７の第２欄３７７ｂに表示されている１００に比率１０％を乗じた増量分１０を加味した増量加味値１１０が増量確定ボタン２６７の下欄に表示される。なお、この時点では既に店側と客側との間には値段７５８円が取引価格として成立している。増量確定ボタン２６７が押された後は販売員が物品を目標の１１０ｇまでコーヒー豆を載せていくだけでよいので、店側にとって使い勝手がよい。
【０１３７】
販売員は、重量が増量加味値である１１０ｇとなるように計量部２３の秤量皿にコーヒー豆を載せていく。このとき、重量表示欄２５７にはコーヒー豆の実測値が表示され、値段表示欄２６１には取引成立価格である［７５８円］の下方にそれよりも小さい文字で、コーヒー豆の実測値に単価を乗じた額が表示されている。
【０１３８】
また、重量表示欄２５７は、表示域の色を数値が目標である増量加味値１１０になるまで赤色で表示している。これによって、少なくとも客側と約束した増量分に満たない量で増量を止めてしまうことが回避される。もちろん、色は赤色に限定されるものではなく、他の色でもよい。さらには、表示域の色を変える形態に限定されるものではなく、数字の表示色の色を変更してもよい。
【０１３９】
通常、店側は、客側と約束した増量分に満たない量で増量を止めてしまうことは客側への印象が良くないので、増量加味値より多めにする傾向にあるが、必要以上に超過することは店側の負担を拡大させることになるので、許容できる超過量を予め決定しておくことが好ましい。
【０１４０】
例えば、本実施形態では、１１０〜１１５ｇの範囲を許容範囲としており、この許容範囲に入ったときは重量表示欄２５７の表示域の色を白色に戻し、この許容範囲を超えたときに再び重量表示欄２５７の表示域の色を赤色で表示している。これによって超過量を抑制することができるので、結果的に店側の負担を軽減することができる。
【０１４１】
もちろん、色は赤色に限定されるものではなく、他の色でもよい。さらには、表示域の色を変える形態に限定されるものではなく、数字の表示色の色を変更してもよい。
【０１４２】
そして、増量後の実測値が１１３ｇとなり、販売員が増量を止め客に増量されたことを確認してもらう。このとき、図９Ｂに示すように、重量表示欄２５７には増量後のコーヒー豆の実測値１１３ｇが表示され、値段表示欄２６１には取引成立価格である［７５８円］の下方にそれよりも小さい文字で、増量後のコーヒー豆の実測値１１３ｇに単価を乗じた額［８５６円］が表示されている。その後、担当者表示ボタン２６５を押す。
【０１４３】
図９Ｃは、図９Ｂにおける担当者表示ボタン２６５が押された後の液晶表示画面２５ｂの正面図である。図９Ｃにおいて、液晶表示画面２５ｂには先の図９Ｂで担当者表示ボタン２６５が押されるまで表示されていた増量確定ボタン２６７が消え、「加算しました」、「商品をハカリから取り除いてください」などのメッセージが表示され、その下方に増量後の確認ボタンとしての［ＯＫ］ボタンが表示される。
【０１４４】
また、先の図９Ｂで担当者表示ボタン２６５が押されるまで表示されていた重量表示欄２５７の「重さ」の文言は「定重量」に切り換わり、さらに、図９Ｂにおいて重量表示欄２５７に表示されていたコーヒー豆の実測値１１３ｇは、数値が丸められて１１０ｇの表示に切り換わる。また、単価表示欄２５９の「単価１００ｇにつき」の文言は「数量」に切り換わり、その下方は空白となる。
【０１４５】
図９Ｄは、図９Ｃにおける［ＯＫ］ボタンが押された後の液晶表示画面２５ｂの正面図である。図９Ｄにおいて、液晶表示画面２５ｂには先の図９Ｃで［ＯＫ］ボタンが押されるまで表示されていたメッセージ、及び［ＯＫ］ボタンが消え、その代わりに、計量していないときの液晶表示画面２５ｂの表示と同様の、商品選択ボタン２６３、及び担当者表示ボタン２６５が横一列に並ぶように表示される。そして、日付表示欄２５１の下段には、担当者（販売員）の姓、取引価格が表示される。
【０１４６】
なお、取引完了時には、取引価格、取引重量１００ｇ、及び数値を丸める前の販売重量１１３ｇ（または増量分１３ｇ）がそれぞれ別々にメモリ３５に記憶される。その結果、増量分の集計や管理が容易になる。
【０１４７】
（１−３）レシート又はラベルへの印字
図１０Ａは、希望購入重量に対して販売を行った後の必要事項が印字されたレシートの平面図である。また、図１０Ｂは、希望購入重量に応じた増量販売を行った後の必要事項が印字されたレシートの平面図である。図１０Ａ及び図１０Ｂにおいて、図９Ｃの［ＯＫ］ボタンが押されるタイミングに同期して、プリンタ部２９においてレシート（又はラベル）に必要事項が印字される。
【０１４８】
ここで、必要事項として、単価、増量後の重量、増量後の重量と単価とから算出される価格、増量前の重量、取引価格（増量前の重量と単価とから算出される価格）、増量表示及び増量分の重量などのうち、少なくとも取引価格、増量表示が印字される。
【０１４９】
なお、増量表示とは、図１０Ｂにおける「１０％増量」がそれに当たり、増量サービスされて販売されている、又は販売されたことが分かる表示である。
【０１５０】
（２）特徴
（２−１）
計量装置１０では、制御部３１は、オーダー重量ボタン３７７の第１欄３７７ａが押されたとき、キー入力部２５ａから入力された客の希望購入重量を第２欄３７７ｂに表示させ、それと同時に、希望購入重量に単価を乗じた値（円）を値段表示欄２６１に表示させる。さらに、制御部３１は、増量確定ボタン２６７が押されたとき、増量分を加味した増量加味値を増量確定ボタン２６７の下方に表示させる。この計量装置１０による量り売りにおいて、例えば、販促活動として増量サービスを行う際、販売員は、客の希望購入重量に基づく取引価格、および増量後の重量計算を電卓など用いることなく把握することができるので、増量サービス販売が簡単に行えるようになる。
【０１５１】
（２−２）
また、制御部３１は、増量確定ボタン２６７が操作され、物品が計量部２３上に載せられた後は、取引価格を値段表示欄２６１に表示した状態のまま、計量部２３上の物品の実測値に単価を乗じた額を値段表示欄２６１の表示価格の下方にそれよりも小さい文字で表示させる。この計量装置１０では、客側は増量サービス前の価格と、増量サービス後の価格とを一見して比較することができる。つまり、店側は、客側に増量サービスのお得感を瞬時に伝えることができる。
【０１５２】
（２−３）
また、レシートまたはラベルには、少なくとも取引価格、取引価格成立後の物品の増量後の実測値、及びその実測値に単価を乗じた額が記載されるので、購入後にも客側に増量サービスのお得感を伝えることができる。
【産業上の利用可能性】
【０１５３】
以上のように、本発明はコーヒー豆に限らず、各種商品の対面販売用の計量装置に有用である。
【符号の説明】
【０１５４】
１０  計量装置
２３  計量部
２５  操作部
２５ｂ  液晶表示画面（表示部）
２７  お客様側液晶表示部（表示部）
２９  プリンタ部（印字部）
３１  制御部
２６７  増量確定ボタン（増量確定手段）
２７７  見做し増量確定ボタン（増量確定手段）
【先行技術文献】
【特許文献】
【０１５５】
【特許文献１】特開昭５５−２４６８１号公報
【図１Ａ】
2014149284.tif 000003
【図１Ｂ】
2014149284.tif 000004
【図２】
2014149284.tif 000005
【図３Ａ】
2014149284.tif 000006
【図３Ｂ】
2014149284.tif 000007
【図３Ｃ】
2014149284.tif 000008
【図３Ｄ】
2014149284.tif 000009
【図３Ｅ】
2014149284.tif 000010
【図３Ｆ】
2014149284.tif 000011
【図４Ａ】
2014149284.tif 000012
【図４Ｂ】
2014149284.tif 000013
【図５Ａ】
2014149284.tif 000014
【図５Ｂ】
2014149284.tif 000015
【図５Ｃ】
2014149284.tif 000016
【図５Ｄ】
2014149284.tif 000017
【図５Ｅ】
2014149284.tif 000018
【図６】
2014149284.tif 000019
【図７Ａ】
2014149284.tif 000020
【図７Ｂ】
2014149284.tif 000021
【図７Ｃ】
2014149284.tif 000022
【図８Ａ】
2014149284.tif 000023
【図８Ｂ】
2014149284.tif 000024
【図８Ｃ】
2014149284.tif 000025
【図８Ｄ】
2014149284.tif 000026
【図８Ｅ】
2014149284.tif 000027
【図９Ａ】
2014149284.tif 000028
【図９Ｂ】
2014149284.tif 000029
【図９Ｃ】
2014149284.tif 000030
【図９Ｄ】
2014149284.tif 000031
【図１０Ａ】
2014149284.tif 000032
【図１０Ｂ】
2014149284.tif 000033